(57)【要約】【課題】合成樹脂の使用量を低減させることに際して座屈の強度が低下することが抑えられる合成樹脂製パレットを提供する。【解決手段】隅桁が備える矩形筒形状を有した周壁３１は、２つのデッキボードの縁に連結されて互いに直交する２つの外側壁３１Ｅと、互いに直交する２つの内側壁３１Ｉとから構成され、前記２つの外側壁３１Ｅの各々が、開口部を有する枠形状を有し、周壁３１において内側交差部３２Ｉと外側交差部３２Ｅとを通る周壁３１の対角方向に沿って延び、内側交差部３２Ｉ、および、外側交差部３２Ｅの少なくとも一方である対象交差部から離間する対角補強板３３をさらに備え、２つのデッキボードの各々は、対角補強板３３における対角方向の両端辺のなかで対象交差部から離間した端辺と周壁３１とを連結する複数の桟をさらに備える。【選択図】図３
2016108036.tif 000002
【特許請求の範囲】
【請求項１】
互いに対向する２つのデッキボードと、
前記２つのデッキボードにおける隅同士を連結する隅桁とを備え、
前記隅桁は、矩形筒形状を有した周壁を備え、
前記周壁は、前記２つのデッキボードの縁に連結されて互いに直交する２つの外側壁と、互いに直交する２つの内側壁とから構成され、前記２つの外側壁の各々が、開口部を有する枠形状を有し、
前記２つの内側壁の交差する交差部は、内側交差部であり、
前記２つの外側壁の交差する交差部は、前記内側交差部と対向する外側交差部であって、前記２つのデッキボードの各々の角を連結し、
前記内側交差部と前記外側交差部とを通る前記周壁の対角方向に沿って延び、前記内側交差部、および、前記外側交差部の少なくとも一方である対象交差部から離間する対角補強板をさらに備え、
前記２つのデッキボードの各々は、前記対角補強板において前記対角方向に並ぶ両端辺のなかで前記対象交差部から離間した端辺と、前記周壁とを連結する複数の桟をさらに備える
合成樹脂製パレット。
【請求項２】
前記対象交差部から離間した端辺は、内側端辺であり、
前記対角補強板は、前記対角方向において前記内側端辺とは反対側の端辺が前記外側交差部に連結され、
前記複数の桟は、前記対角補強板における前記内側端辺と、前記２つの内側壁の各々とを連結する２つの桟である
請求項１に記載の合成樹脂製パレット。
【請求項３】
前記対象交差部から離間した端辺は、外側端辺であり、
前記対角補強板は、前記対角方向において前記外側端辺とは反対側の端辺が前記内側交差部に連結され、
前記複数の桟は、前記対角補強板における前記外側端辺と、前記２つの外側壁の各々とを連結する２つの桟である
請求項１に記載の合成樹脂製パレット。
【請求項４】
前記対角補強板は、前記内側交差部、および、外側交差部から離間し、前記内側交差部と面する内側端辺と、前記外側交差部と面する外側端辺とを備え、
前記複数の桟は、２つの内側連結桟と２つの外側連結桟とから構成され、
前記２つの内側連結桟は、前記内側端辺と、前記２つの内側壁の各々とを連結し、
前記２つの外側連結桟は、前記外側端辺と、前記２つの外側壁の各々とを連結する
請求項１に記載の合成樹脂製パレット。
【請求項５】
前記複数の桟は、複数の端辺連結桟であり、
前記２つのデッキボードの各々は、前記対角方向における前記対角補強板の中間部位と、前記２つの内側壁の各々とを連結する２つの中間連結桟をさらに備える
請求項１から４に記載のいずれか一項に記載の合成樹脂製パレット。
【発明の詳細な説明】
【技術分野】
【０００１】
本発明は、物品の運搬や保管などに用いられる合成樹脂製パレットに関する。
【背景技術】
【０００２】
上述した合成樹脂製パレットの一例として四方差しの合成樹脂製パレットが知られている（例えば、特許文献１，２参照）。四方差しの合成樹脂製パレットは、載置デッキボードと接地デッキボードとを備え、載置デッキボードの四隅と、接地デッキボードの四隅とは４つの隅桁によって連結されている。
【先行技術文献】
【特許文献】
【０００３】
【特許文献１】特開２００１−７２０６３号公報
【特許文献２】特開２０００−１６４３０号公報
【発明の概要】
【発明が解決しようとする課題】
【０００４】
ところで、合成樹脂製パレットの使用の形態には、例えば、ワンウェイパレットのように、使用回数を予め制限される例が知られている。一般に、物品の運搬や物品の保管においては、合成樹脂製パレットが破損したり汚染されたりする可能性が高まる。合成樹脂製パレットの使用回数が制限されることは、こうした破損や汚染による物品の損傷を未然に防ぎ、物品の運搬を確実なものとするうえでは好ましい。
【０００５】
一方で、使用回数が制限される合成樹脂製パレットにおいては、合成樹脂製パレットの製造に要するコストを抑えること、ひいては、合成樹脂製パレットの製造に要する合成樹脂の使用量を抑えることが強く求められる。しかしながら、使用回数が制限されるとはいえ、物品の運搬や物品の保管には、物品の荷重によって座屈しない程度の強度は少なくとも必要であり、合成樹脂の使用量を抑えるために単純に肉厚を薄くすることや単純にリブの数を少なくすることは、座屈に対する強度の大幅な低下を招いてしまう。
本発明は、合成樹脂の使用量を低減させることに際して座屈の強度が低下することを抑えることが可能な合成樹脂製パレットを提供することを目的とする。
【課題を解決するための手段】
【０００６】
上記課題を解決するための合成樹脂製パレットは、互いに対向する２つのデッキボードと、前記２つのデッキボードにおける隅同士を連結する隅桁とを備える。前記隅桁は、矩形筒形状を有した周壁を備え、前記周壁は、前記２つのデッキボードの縁に連結されて互いに直交する２つの外側壁と、互いに直交する２つの内側壁とから構成され、前記２つの外側壁の各々が、開口部を有する枠形状を有する。前記２つの内側壁の交差する交差部は、内側交差部であり、前記２つの外側壁の交差する交差部は、前記内側交差部と対向する外側交差部であって、前記２つのデッキボードの各々の角を連結する。そして、前記内側交差部と前記外側交差部とを通る前記周壁の対角方向に沿って延び、前記内側交差部、および、前記外側交差部の少なくとも一方である対象交差部から離間する対角補強板をさらに備え、前記２つのデッキボードは、前記対角補強板において前記対角方向に並ぶ両端辺のなかで前記対象交差部から離間した端辺と、前記周壁とを連結する複数の桟をさらに備える。
【０００７】
上記構成によれば、２つのデッキボードにおける隅同士を連結する隅桁が矩形筒形状を有するため、隅桁を形成することに要する合成樹脂の使用量が抑えられる。また、隅桁の内部において周壁の対角方向に沿って延びる対角補強板が、周壁の角を構成する対象交差部から離間しているため、これら対角補強板と対象交差部との間に間隙が形成されることによっても、合成樹脂の使用量が抑えられる。そして、対角補強板において対象交差部から離間した端辺は、２つのデッキボードの各々の備える桟によって周壁に連結されているため、対角補強板と対象交差部とが離間しているとはいえ、対角方向における周壁の機械的な強度は、これら対角補強板と桟との連結によって高められる。それゆえに、合成樹脂の使用量を低減させることに際して座屈の強度が低下することが抑えられる。
【０００８】
上記合成樹脂製パレットにおいて、前記対象交差部から離間した端辺は、内側端辺であり、前記対角補強板は、前記対角方向において前記内側端辺とは反対側の端辺が前記外側交差部に連結されてもよい。この際に、前記複数の桟は、前記対角補強板における前記内側端辺と、前記２つの内側壁の各々とを連結する２つの桟であることが好ましい。
【０００９】
上記構成によれば、対角補強板が外側交差部に連結され、かつ、対角補強板が内側交差部から離間しているため、対角補強板と内側交差部との間に間隙が形成されることによって、合成樹脂の使用量が抑えられる。そして、対角補強板において内側交差部と対向する端辺が各桟を介して内側壁に連結されているため、対角補強板と内側交差部とが離間しているとはいえ、２つの外側壁に作用する対角方向に沿った外力は、対角方向に沿って延びる対角補強板と各桟とを通じて２つの内側壁に分散される。結果として、対角方向における周壁の機械的な強度は、これら対角補強板と各桟との連結によって高められる。
【００１０】
上記合成樹脂製パレットにおいて、前記対象交差部から離間した端辺は、外側端辺であり、前記対角補強板は、前記対角方向において前記外側端辺とは反対側の端辺が前記内側交差部に連結されてもよい。この際に、前記複数の桟は、前記対角補強板における前記外側端辺と、前記２つの外側壁の各々とを連結する２つの桟であることが好ましい。
【００１１】
上記構成によれば、対角補強板が内側交差部に連結され、かつ、対角補強板が外側交差部から離間しているため、対角補強板と外側交差部との間に間隙が形成されることによって、合成樹脂の使用量が抑えられる。そして、対角補強板において外側交差部と対向する端辺が桟を介して外側壁に連結されているため、対角補強板と外側交差部とが離間しているとはいえ、２つの外側壁に作用する対角方向に沿った外力は、対角方向に沿って延びる対角補強板と桟とを通じて２つの内側壁に分散される。結果として、対角方向における周壁の機械的な強度は、これら対角補強板と桟との連結によって高められる。
【００１２】
上記合成樹脂製パレットにおいて、前記対角補強板は、前記内側交差部、および、外側交差部から離間してもよい。この際に、対角補強板は、前記内側交差部と面する内側端辺と、前記外側交差部と面する外側端辺とを備え、前記複数の桟は、２つの内側連結桟と２つの外側連結桟とから構成され、前記２つの内側連結桟は、前記内側端辺と、前記２つの内側壁とを連結し、前記２つの外側連結桟は、前記外側端辺と、前記２つの外側壁とを連結することが好ましい。
【００１３】
上記構成によれば、対角補強板が内側交差部、および、外側交差部から離間しているため、対角補強板と内側交差部との間に間隙が形成されること、および、対角補強板と外側交差部との間に間隙が形成されることによって、合成樹脂の使用量が抑えられる。そして、対角補強板における内側端辺が桟を介して内側壁に連結され、かつ、対角補強板における外側端辺が桟を介して外側壁に連結されているため、対角補強板と各交差部とが離間しているとはいえ、対角方向における周壁の機械的な強度は、これら対角補強板と桟との連結を通じて高められる。
【００１４】
上記合成樹脂製パレットにおいて、前記複数の桟は、複数の端辺連結桟であり、前記２つのデッキボードの各々は、前記対角方向における前記対角補強板の中間部位と、前記２つの内側壁の各々とを連結する２つの中間連結桟をさらに備えることが好ましい。
【００１５】
上記合成樹脂製パレットによれば、対角方向における対角補強板の中間部位が、２つの中間連結桟を介して２つの内側壁の各々に支持されるため、対角補強板の機械的な強度は、これら中間連結桟と内側壁との連結によって高められる。
【発明の効果】
【００１６】
本発明の合成樹脂製パレットによれば、合成樹脂の使用量を低減させることに際して座屈の強度が低下することが抑えられる。
【図面の簡単な説明】
【００１７】
【図１】図１は、本開示の合成樹脂製パレットが具体化された一実施形態における合成樹脂製パレットの斜視構造を載置デッキボードと対向する方向から見た斜視図である。
【図２】図２は、一実施形態における合成樹脂製パレットの斜視構造を接地デッキボードと対向する方向から見た斜視図である。
【図３】図３は、一実施形態における合成樹脂製パレットが備える隅桁の斜視構造を載置デッキボードと対向する方向から見た斜視図である。
【図４】図４は、一実施形態における合成樹脂製パレットが備える隅桁の斜視構造を接地デッキボードと対向する方向から見た斜視図である。
【図５】図５は、本開示の合成樹脂製パレットが具体化された変形例における合成樹脂製パレットが備える隅桁の斜視構造を載置デッキボードと対向する方向から見た斜視図である。
【図６】図６は、本開示の合成樹脂製パレットが具体化された変形例における合成樹脂製パレットが備える隅桁の斜視構造を接地デッキボードと対向する方向から見た斜視図である。
【図７】図７は、本開示の合成樹脂製パレットが具体化された変形例における合成樹脂製パレットが備える隅桁の斜視構造を載置デッキボードと対向する方向から見た斜視図である。
【図８】図８は、本開示の合成樹脂製パレットが具体化された変形例における合成樹脂製パレットが備える隅桁の斜視構造を接地デッキボードと対向する方向から見た斜視図である。
【発明を実施するための形態】
【００１８】
以下、図１〜図６を参照して一実施形態における合成樹脂製パレットを説明する。
［合成樹脂製パレットの全体構成］
図１が示すように、合成樹脂製パレットは、２つのデッキボードの一例として、矩形格子形状を有する載置デッキボード１０と、同じく矩形格子形状を有する接地デッキボード２０とを備えている。載置デッキボード１０における四隅と、接地デッキボード２０における四隅とは、互いに対向する隅同士を隅桁３０によって連結されている。
【００１９】
なお、載置デッキボード１０の４辺の各々における中間部と、接地デッキボード２０の４辺の各々における中間部とは、互いに対向する中間部同士を中間桁４０によって連結されている。載置デッキボード１０における中央部と、接地デッキボード２０における中央部とは、１つの中央桁５０によって連結されている。
【００２０】
合成樹脂製パレットは、例えば、ポリプロピレンなどの合成樹脂から形成され、合成樹脂の全量がバージン材であってもよいし、リサイクル材が混入していてもよいし、リサイクル材であってもよい。合成樹脂製パレットは、載置デッキボード１０を備えるパレット形成部材と、接地デッキボード２０を備えるパレット形成部材とを貼り合せた貼り合せパレットであってもよいし、これらが一体に成形される一体成形型パレットであってもよい。
【００２１】
載置デッキボード１０は、矩形枠形状を有する縁である載置縁１１を備え、載置縁１１の内側には、格子形状を有する複数の載置桟１２が形成されている。複数の載置桟１２は、隅桁３０と中間桁４０との間や中間桁４０と中央桁５０との間である桁間を連結する桟である桁間桟１３や、桁間桟１３の間を連結する連結桟１４などによって構成されている。
【００２２】
図２が示すように、接地デッキボード２０は、矩形枠形状を有する縁である接地縁２１を備え、格子形状を有する複数の接地桟２２によって桁間が連結されている。複数の接地桟２２のなかで、互いに隣り合う隅桁３０と中間桁４０とを連結する複数の接地桟２２は、接地デッキボード２０における周方向の全体にわたる矩形枠形状を有した外周桟部２０Ｅを構成している。複数の接地桟２２のなかで、中間桁４０と中央桁５０とを連結する複数の接地桟２２は、接地デッキボード２０の中央を通り互いに直交する十字形状を有した中央桟部２０Ｃを構成している。接地デッキボード２０には、これら外周桟部２０Ｅと中央桟部２０Ｃとによって区画された４つの開口である車輪用孔２３Ｈが外周桟部２０Ｅの内側に区画されている。４つの車輪用孔２３Ｈの各々は、パレットトラックの車輪が入るための開口である。
【００２３】
なお、合成樹脂製パレットの周面において、互いに隣り合う隅桁３０と中間桁４０との間には、載置縁１１、接地縁２１、隅桁３０、および、中間桁４０とによって区画されたフォーク挿入孔ＰＨが形成されている。互いに隣り合う２つの隅桁３０と、２つの隅桁３０の間に位置する１つの中間桁４０とは、互いに隣り合う２つのフォーク挿入孔ＰＨを区画し、合成樹脂製パレットの周面には、合計で８つのフォーク挿入孔ＰＨが形成されている。８つのフォーク挿入孔ＰＨの各々は、フォークリフトやパレットトラックのフォークが入るための開口である。
【００２４】
［隅桁３０の構成］
図３が示すように、隅桁３０は、載置デッキボード１０と対向する方向から見て矩形筒形状を有した周壁３１を備えている。周壁３１は、互いに直交する平板形状を有した２つの内側壁３１Ｉと、互いに直交する平板形状を有した２つの外側壁３１Ｅとから構成されている。周壁３１は、２つの内側壁３１Ｉと、２つの外側壁３１Ｅとによって区画された中空構造を有している。周壁３１が中空の筒形状を有することによって、隅桁３０の形成に要する合成樹脂の使用量は抑えられている。
【００２５】
２つの内側壁３１Ｉの各々は、合成樹脂製パレットにおける外周壁よりも合成樹脂製パレットの内側に位置している。２つの内側壁３１Ｉの各々が備える面のなかで周壁３１の内部に面する内側面には、複数の補強リブ３１Ｒが形成されている。複数の補強リブ３１Ｒの各々は、それが形成された内側壁３１Ｉの内側面から周壁３１の内部に向けて突き出た形状を有し、周壁３１の軸方向に沿って延びている。複数の補強リブ３１Ｒの各々は、周壁３１の延びる方向である周壁３１の軸方向において、内側壁３１Ｉの座屈に対する強度を高めている。
【００２６】
２つの外側壁３１Ｅの各々は、合成樹脂製パレットにおける外周壁の一部分であって、載置デッキボード１０における隅の縁と、接地デッキボード２０における隅の縁とを連結している。２つの外側壁３１Ｅの各々には、合成樹脂製パレットの外部と隅桁３０の内部とを連通する開口部３１Ｈが形成されている。矩形枠形状を有する２つの外側壁３１Ｅの各々は、それに開口部３１Ｈが形成されることによって、外側壁３１Ｅの形成に要する合成樹脂の使用量を抑えている。
【００２７】
合成樹脂製パレットの載置デッキボード１０に積載される物品などは、通常、載置デッキボード１０の外周縁にまで荷重が掛る様に配置される頻度が少なく、隅桁３０の内側壁３１Ｉと重なる部位辺りまでが大きく荷重が掛る範囲である。上述した合成樹脂製パレットであれば、外側壁３１Ｅが矩形枠形状を有する一方で、内側壁３１Ｉは中実の平板形状を有するため、合成樹脂の使用量を低減させることに際して、周壁３１の軸方向における周壁３１の座屈の強度が低下することも抑えられる。なお、周壁３１の座屈の強度が抑えられる観点においては、周壁３１に溶着跡が残る貼り合せパレットよりも、周壁３１が一体に成形される一体成形型パレットである方が好ましい。
【００２８】
２つの内側壁３１Ｉが互いに交差する交差部は、周壁３１の軸方向に沿って延びる内側交差部３２Ｉである。２つの外側壁３１Ｅが互いに交差する交差部は、これもまた周壁３１の軸方向に沿って延びる外側交差部３２Ｅであって、対象交差部の一例である。外側交差部３２Ｅは、載置デッキボード１０の角と接地デッキボード２０の角とを連結している。内側交差部３２Ｉと外側交差部３２Ｅとが互いに向い合う方向は、これら２つの交差部３２を通る方向であって、周壁３１の対角方向である。
【００２９】
周壁３１の内部には、１つの対角補強板３３が位置し、対角補強板３３は、外側交差部３２Ｅの内側面から周壁３１の対角方向に沿って延び、かつ、載置デッキボード１０や接地デッキボード２０と直交する矩形平板形状を有している。対角補強板３３は、２つの外側壁３１Ｅの各々に形成された開口部３１Ｈに面している。
【００３０】
対角補強板３３が有する４辺は、対角方向に沿って並び、かつ、載置デッキボード１０と直交する２つの端辺と、対角方向に沿って延び、かつ、載置デッキボード１０と平行である２つの端辺とから構成されている。対角方向に並ぶ２つの端辺のなかで外側交差部３２Ｅと一体に形成されている端辺は、対角補強板３３における外側端辺３３Ｅ１である。これに対して、対角方向に並ぶ２つの端辺のなかで内側交差部３２Ｉと対向する端辺は、対角補強板３３における内側端辺３３Ｅ２である。また、対角方向に沿って延びる２つの端辺のなかで載置デッキボード１０側に位置する端辺は、載置側端辺Ｔである。これに対して、対角方向に沿って延びる２つの端辺のなかで接地デッキボード２０側に位置する端辺は、接地側端辺Ｅである。
【００３１】
対角補強板３３における外側端辺３３Ｅ１は、外側交差部３２Ｅの内側面と一体に形成される一方で、対角補強板３３における内側端辺３３Ｅ２は、内側交差部３２Ｉの内側面から離間している。そして、対角補強板３３の内側端辺３３Ｅ２と、内側交差部３２Ｉの内側面との間に間隙が形成されることによって、対角補強板３３などの隅桁３０の内部構造を形成するための合成樹脂の使用量は抑えられている。
【００３２】
対角補強板３３における外側端辺３３Ｅ１は、周壁３１の軸方向に沿って、外側交差部３２Ｅにおける内側面の全体に連結されている。対角補強板３３は、外側交差部３２Ｅの内側面と外側端辺３３Ｅ１との連結を通じて、周壁３１の軸方向における外側交差部３２Ｅだけでなく隅桁３０の座屈に対して強度を高めている。
【００３３】
対角補強板３３における内側端辺３３Ｅ２は、外側壁３１Ｅと対向する方向から見て、その外側壁３１Ｅに形成された開口部３１Ｈの各々と面している。内側端辺３３Ｅ２の両端部のなかで載置デッキボード１０側に位置する端部は、対角方向に沿って延びる対角連結桟１５Ｔによって、内側交差部３２Ｉの内側面に連結されている。また、内側端辺３３Ｅ２の両端部のなかで載置デッキボード１０側に位置する端部は、２つの内側壁３１Ｉの各々に向けて延びる内側連結桟１５Ｅによって、２つの内側壁３１Ｉの各々の内側面にも連結されている。２つの内側連結桟１５Ｅの各々は、それの連結される内側壁３１Ｉの内側面とほぼ直交する方向に沿って延びている。２つの内側連結桟１５Ｅの各々は、端辺連結桟の一例である。
【００３４】
対角連結桟１５Ｔ、および、２つの内側連結桟１５Ｅの各々は、載置デッキボード１０を構成する複数の載置桟１２の一部でもある。載置デッキボード１０の面方向において、対角連結桟１５Ｔ、および、２つの内側連結桟１５Ｅの有する幅は、桁間桟１３や連結桟１４の有する幅よりも大きい。
【００３５】
このように、対角補強板３３における内側端辺３３Ｅ２の一端は、載置デッキボード１０を構成する対角連結桟１５Ｔ、および、２つの内側連結桟１５Ｅを介して、２つの内側壁３１Ｉの各々の内側面に連結されている。そのため、対角補強板３３と内側交差部３２Ｉとが離間しているとはいえ、２つの外側壁３１Ｅに作用する対角方向に沿った外力は、対角補強板３３と各桟とを通じて２つの内側壁３１Ｉに分散される。結果として、対角方向における周壁３１の機械的な強度は、これら対角補強板３３と各桟との連結によって高められる。さらに、対角連結桟１５Ｔや内側連結桟１５Ｅの有する幅が、桁間桟１３や連結桟１４の有する幅よりも大きいため、対角補強板３３と内側壁３１Ｉとの連結の強度も高められる。
【００３６】
対角補強板３３における載置側端辺Ｔは、対角方向における中間部位において、２つの中間連結桟１５Ｍによって内側壁３１Ｉの内側面に連結されている。２つの中間連結桟１５Ｍの各々は、２つの内側連結桟１５Ｅと同じく、それの連結される内側壁３１Ｉの内側面とほぼ直交する方向に沿って延びている。
【００３７】
２つの中間連結桟１５Ｍの各々もまた、載置デッキボード１０を構成する複数の載置桟１２の一部である。２つの中間連結桟１５Ｍの各々の有する幅は、桁間桟１３、あるいは、連結桟１４とほぼ等しく、内側連結桟１５Ｅの有する幅よりも小さい。そして、対角方向における載置側端辺Ｔの中間部位が、２つの中間連結桟１５Ｍを介して２つの内側壁３１Ｉの各々に支持されるため、載置側端辺Ｔの対角方向に沿った機械的な強度は、これら中間連結桟１５Ｍと内側壁３１Ｉとの連結によって高められる。なお、２つの中間連結桟１５Ｍの各々は、それに対向する外側壁３１Ｅと直交する平板形状を有した垂直補強板３４を介して、外側壁３１Ｅに連結されている。
【００３８】
図４が示すように、内側端辺３３Ｅ２の両端部のなかで接地デッキボード２０側に位置する端部は、２つの内側壁３１Ｉの各々に向けて延びる内側連結桟２５Ｅのみによって、２つの内側壁３１Ｉの各々の内側面に連結されている。２つの内側連結桟２５Ｅの各々は、内側連結桟１５Ｅと同じく、それの連結される内側壁３１Ｉの内側面とほぼ直交する方向に沿って延びている。２つの内側連結桟２５Ｅの各々もまた、端辺連結桟の一例である。
【００３９】
接地デッキボード２０と対向する方向から見て、２つの内側連結桟２５Ｅは、先に説明された２つの内側連結桟１５Ｅと対向している。また、接地デッキボード２０においては、載置デッキボード１０とは異なり、内側端辺３３Ｅ２から対角方向に沿って延びる対角連結桟が形成されておらず、２つの内側壁３１Ｉの形成する角には、２つの内側壁３１Ｉと２つの内側連結桟２５Ｅとによって区画された五角形孔が形成されている。
【００４０】
２つの内側連結桟２５Ｅの各々は、接地デッキボード２０を構成する複数の接地桟２２の一部でもある。載置デッキボード１０の面方向において、２つの内側連結桟２５Ｅの有する幅は、他の接地桟２２の有する幅よりも大きい。２つの内側連結桟２５Ｅのなかの一方には、グロメットが嵌め込まれる孔２５Ｇが形成されている。
【００４１】
このように、対角補強板３３における内側端辺３３Ｅ２の他端は、接地デッキボード２０を構成する２つの内側連結桟２５Ｅを介して、２つの内側壁３１Ｉの各々の内側面に連結されている。そのため、対角補強板３３と内側交差部３２Ｉとが離間しているとはいえ、２つの外側壁３１Ｅに作用する対角方向に沿った外力は、接地デッキボード２０によっても、２つの内側壁３１Ｉに分散される。結果として、対角方向における周壁３１の機械的な強度は、これら対角補強板３３と各桟との連結によって高められる。
【００４２】
対角補強板３３における接地側端辺Ｅは、対角方向における中間部位において、２つの中間連結桟２５Ｍによって内側壁３１Ｉの内側面に連結されている。接地デッキボード２０と対向する方向から見て、２つの中間連結桟２５Ｍの各々は、先に説明された中間連結桟１５Ｍと対向し、２つの内側連結桟２５Ｅと同じく、それの連結される内側壁３１Ｉの内側面とほぼ直交する方向に沿って延びている。２つの中間連結桟２５Ｍの各々の有する幅は、内側連結桟２５Ｅの有する幅とほぼ等しい。
【００４３】
対角補強板３３における接地側端辺Ｅにおいて、内側連結桟２５Ｅと中間連結桟２５Ｍとに挟まれた部分には、対角方向に沿って延びる帯形状を有した対角補強リブ３３Ｒが形成されている。すなわち、接地デッキボード２０においては、先に説明された載置デッキボード１０とは異なり、対角連結桟１５Ｔが備えられない一方で、幅広である中間連結桟２５Ｍや対角補強リブ３３Ｒが備えられている。そして、対角方向における接地側端辺Ｅの中間部位が、２つの中間連結桟２５Ｍを介して２つの内側壁３１Ｉの各々に支持されるため、また、接地側端辺Ｅの一部に対角補強リブ３３Ｒが備えられているため、接地側端辺Ｅの対角方向に沿った機械的な強度は、中間連結桟２５Ｍと内側壁３１Ｉとの連結や対角補強リブ３３Ｒによって高められる。なお、２つの中間連結桟２５Ｍの各々は、先に説明された中間連結桟１５Ｍと同じく、それに対向する外側壁３１Ｅと直交する平板形状を有した垂直補強板３４を介して、外側壁３１Ｅに連結されている。
【００４４】
以上、上記実施形態によれば以下に列記する効果が得られる。
（１）対角補強板３３が外側交差部３２Ｅに連結され、かつ、対角補強板３３が内側交差部３２Ｉから離間しているため、対角補強板３３と内側交差部３２Ｉとの間に間隙が形成される。それゆえに、合成樹脂製パレットの製造に要する合成樹脂の使用量が抑えられる。
【００４５】
（２）対角補強板３３における内側端辺３３Ｅ２が各桟を介して内側壁３１Ｉに連結されているため、対角補強板３３と内側交差部３２Ｉとが離間しているとはいえ、２つの外側壁３１Ｅに作用する対角方向に沿った外力は、対角方向に沿って延びる対角補強板３３と各桟とを通じて２つの内側壁３１Ｉに分散される。結果として、対角方向における周壁３１の機械的な強度は、これら対角補強板３３と各桟との連結によって高められる。
【００４６】
（３）対角方向における対角補強板３３の中間部位が、各デッキボードにおける２つの中間連結桟１５Ｍ，２５Ｍを介して２つの内側壁３１Ｉの各々に支持されるため、対角補強板３３の機械的な強度は、これら中間連結桟１５Ｍ，２５Ｍと内側壁３１Ｉとの連結によって高められる。
【００４７】
（４）載置側端辺Ｔが対角連結桟１５Ｔを介して内側交差部３２Ｉに連結されるため、載置側端辺Ｔが対角方向に沿って変位することが抑えられる。それゆえに、対角方向における座屈の強度が周壁３１において高められる。なお、物品の運搬や物品の保管に際しては、接地デッキボード２０と障害物とが接触する機会よりも、載置デッキボード１０と障害物とが接触する機会の方が多い。この点、上述した構成であれば、接地デッキボード２０が対角連結桟１５Ｔを備えない一方で、載置デッキボード１０のみが対角連結桟１５Ｔを備えている。それゆえに、合成樹脂の使用量を低減させることに際して座屈の強度が低下することが抑えられる観点において、より好ましい構成でもある。
【００４８】
（５）接地側端辺Ｅの一部が対角補強リブ３３Ｒを有しているため、接地側端辺Ｅが対角方向に対して座屈することが抑えられる。それゆえに、対角方向における座屈の強度が周壁３１において高められる。
【００４９】
上記実施形態は以下のように変更して実施することができる。
・対角補強板３３は、下記第１変形例、および、第２変形例が示すように、内側交差部３２Ｉ、および、外側交差部３２Ｅの少なくとも一方である対象交差部から離間する構成であればよい。
【００５０】
この際に、２つのデッキボード１０，２０の各々は、対角補強板３３において対角方向に並ぶ両端辺のなかで対象交差部から離間した端辺と、周壁３１とを連結する複数の桟を備えればよい。
【００５１】
（第１変形例）
・図５が示すように、対角補強板３３は、内側交差部３２Ｉの内側面から周壁３１の対角方向に沿って延び、かつ、載置デッキボード１０と直交する矩形平板形状を有している。対角補強板３３における外側端辺３３Ｅ１は、外側交差部３２Ｅの内側面から離間する一方で、対角補強板３３における内側端辺３３Ｅ２は、内側交差部３２Ｉの内側面と一体に形成されている。そして、対角補強板３３の外側端辺３３Ｅ１と、外側交差部３２Ｅの内側面との間に間隙が形成されることによって、隅桁３０の内部構造を形成するための合成樹脂の使用量は抑えられている。
【００５２】
外側端辺３３Ｅ１の両端部のなかで載置デッキボード１０側に位置する端部は、対角方向に沿って延びる対角連結桟１５Ｔによって、外側交差部３２Ｅの内側面に連結されている。また、外側端辺３３Ｅ１の両端部のなかで載置デッキボード１０側に位置する端部は、２つの内側壁３１Ｉの各々に向けて延びる内側連結桟１５Ｅによって、２つの内側壁３１Ｉの各々の内側面にも連結されている。２つの内側連結桟１５Ｅの各々は、端辺連結桟の一例である。対角連結桟１５Ｔの有する幅は、桁間桟１３や連結桟１４の有する幅よりも大きい一方で、２つの内側連結桟１５Ｅの有する幅は、桁間桟１３や連結桟１４の有する幅とほぼ等しい。
【００５３】
対角補強板３３における載置側端辺Ｔは、対角方向における中間部位において、２つの中間連結桟１５Ｍによって内側壁３１Ｉの内側面に連結されている。２つの中間連結桟１５Ｍの各々は、２つの内側連結桟１５Ｅと同じく、それの連結される内側壁３１Ｉの内側面とほぼ直交する方向に沿って延びている。
【００５４】
図６が示すように、外側端辺３３Ｅ１の両端部のなかで、接地デッキボード２０側に位置する端部は、２つの内側壁３１Ｉの各々に向けて延びる内側連結桟２５Ｅによって、２つの内側壁３１Ｉの各々の内側面に連結されている。２つの内側連結桟２５Ｅの各々は、内側連結桟１５Ｅと同じく、それの連結される内側壁３１Ｉの内側面とほぼ直交する方向に沿って延びている。また、外側端辺３３Ｅ１の両端部の各々は、２つの外側壁３１Ｅの各々に向けて延びる外側連結桟３５によって、２つの外側壁３１Ｅの各々の内側面に連結されている。
【００５５】
接地デッキボード２０と対向する方向から見て、２つの外側壁３１Ｅの形成する角には、２つの外側壁３１Ｅと２つの外側連結桟３５とによって区画された矩形孔が形成されている。
【００５６】
対角補強板３３における接地側端辺Ｅは、対角方向における中間部位において、２つの中間連結桟２５Ｍによって内側壁３１Ｉの内側面に連結されている。接地デッキボード２０と対向する方向から見て、２つの中間連結桟２５Ｍの各々は、先に説明された中間連結桟１５Ｍと対向し、２つの内側連結桟２５Ｅと同じく、それの連結される内側壁３１Ｉの内側面とほぼ直交する方向に沿って延びている。
【００５７】
上述した第１変形例の合成樹脂製パレットによれば、上記（３）から（６）に準じた効果に加えて、以下に列記する効果が得られる。
（７）対角補強板３３が内側交差部３２Ｉに連結され、かつ、対角補強板３３が外側交差部３２Ｅから離間しているため、対角補強板３３と外側交差部３２Ｅとの間に間隙が形成される。それゆえに、合成樹脂製パレットの製造に要する合成樹脂の使用量が抑えられる。
【００５８】
（８）対角補強板３３における外側端辺３３Ｅ１が各桟を介して内側壁３１Ｉ、および、外側壁３１Ｅに連結されているため、対角補強板３３と外側交差部３２Ｅとが離間しているとはいえ、２つの外側壁３１Ｅに作用する対角方向に沿った外力は、対角方向に沿って延びる対角補強板３３と各桟とを通じて２つの内側壁３１Ｉに分散される。結果として、対角方向における周壁３１の機械的な強度は、これら対角補強板３３と各桟との連結によって高められる。
【００５９】
（第２変形例）
・図７が示すように、対角補強板３３は、周壁３１の対角方向に沿って延び、かつ、載置デッキボード１０と直交する矩形平板形状を有している。対角補強板３３における外側端辺３３Ｅ１は、外側交差部３２Ｅの内側面から離間し、また、対角補強板３３における内側端辺３３Ｅ２も、内側交差部３２Ｉの内側面から離間している。そして、対角補強板３３の外側端辺３３Ｅ１と、外側交差部３２Ｅの内側面との間に間隙が形成されることによって、隅桁３０の内部構造を形成するための合成樹脂の使用量は抑えられている。また、対角補強板３３の内側端辺３３Ｅ２と、内側交差部３２Ｉの内側面との間に間隙が形成されることによって、隅桁３０の内部構造を形成するための合成樹脂の使用量はさらに抑えられている。
【００６０】
外側端辺３３Ｅ１の両端部のなかで、載置デッキボード１０側に位置する端部は、対角方向に沿って延びる外側対角連結桟１５Ｔ１によって、外側交差部３２Ｅの内側面に連結されている。また、外側端辺３３Ｅ１の両端部のなかで、載置デッキボード１０側に位置する端部は、２つの内側壁３１Ｉの各々に向けて延びる内側連結桟１５Ｅ１によって、２つの内側壁３１Ｉの各々の内側面にも連結されている。２つの内側連結桟１５Ｅ１の各々は、端辺連結桟の一例である。外側対角連結桟１５Ｔ１の有する幅は、桁間桟１３や連結桟１４の有する幅よりも大きい一方で、２つの内側連結桟１５Ｅ１の有する幅は、桁間桟１３や連結桟１４の有する幅とほぼ等しい。
【００６１】
内側端辺３３Ｅ２の両端部のなかで、載置デッキボード１０側に位置する端部は、これもまた対角方向に沿って延びる内側対角連結桟１５Ｔ２によって、内側交差部３２Ｉの内側面に連結されている。また、外側端辺３３Ｅ１の両端部のなかで、載置デッキボード１０側に位置する端部は、２つの内側壁３１Ｉの各々に向けて延びる内側連結桟１５Ｅ２によって、２つの内側壁３１Ｉの各々の内側面にも連結されている。２つの内側連結桟１５Ｅ２の各々は、端辺連結桟の一例である。内側対角連結桟１５Ｔ２の有する幅、および、２つの内側連結桟１５Ｅ２の有する幅は、桁間桟１３や連結桟１４の有する幅よりも大きい。
【００６２】
図８が示すように、外側端辺３３Ｅ１の両端部のなかで、接地デッキボード２０側に位置する端部は、２つの内側壁３１Ｉの各々に向けて延びる内側連結桟２５Ｅ１によって、２つの内側壁３１Ｉの各々の内側面に連結されている。２つの内側連結桟２５Ｅ１の各々は、内側連結桟１５Ｅ１と同じく、それの連結される内側壁３１Ｉの内側面とほぼ直交する方向に沿って延びている。また、外側端辺３３Ｅ１の両端部の各々は、２つの外側壁３１Ｅの各々に向けて延びる外側連結桟３５によって、２つの外側壁３１Ｅの各々の内側面に連結されている。
【００６３】
接地デッキボード２０と対向する方向から見て、２つの外側壁３１Ｅの形成する角には、２つの外側壁３１Ｅと２つの外側連結桟３５とによって区画された矩形孔が形成されている。
【００６４】
内側端辺３３Ｅ２の両端部のなかで、接地デッキボード２０側に位置する端部は、２つの内側壁３１Ｉの各々に向けて延びる内側連結桟２５Ｅ２によって、２つの内側壁３１Ｉの各々の内側面に連結されている。２つの内側連結桟２５Ｅ２の各々は、内側連結桟２５Ｅ１と同じく、それの連結される内側壁３１Ｉの内側面とほぼ直交する方向に沿って延びている。
上述した第１変形例の合成樹脂製パレットによれば、上記（１）から（８）に準じた効果が得られる。
【００６５】
・中間連結桟１５Ｍ，２５Ｍ、対角連結桟１５Ｔ、外側対角連結桟１５Ｔ１、内側対角連結桟１５Ｔ２、対角補強リブ３３Ｒは、隅桁３０に求められる座屈の強度に応じて適宜備えられるものであって、割愛することも可能である。また、上述した隅桁の内部構造は、４つの隅桁のなかで少なくとも１つに適用されていればよい。
【００６６】
・対角補強板３３において対角方向に並ぶ両端辺のなかで対象交差部から離間した端辺と、対象交差部とを連結する桟は、端辺と周壁３１の内側面とを連結する構造体であればよい。例えば、上記実施形態において内側連結桟１５Ｅは、内側端辺３３Ｅ２と外側壁３１Ｅの内側面とを連結する桟であってもよいし、内側端辺３３Ｅ２を外側壁３１Ｅの内側面と内側壁３１Ｉの内側面との両方に連結する桟であってもよい。また、端辺と周壁３１の内側面とを連結する桟の本数は、１本以上であればよく、３本であってもよいし、５本以上であってもよい。
【００６７】
上記実施形態から導き出される技術的思想として以下の付記を開示する。
（付記１）
互いに対向する２つのデッキボードと、前記２つのデッキボードにおける隅同士を連結する隅桁とを備え、前記隅桁は、矩形筒形状を有した周壁を備え、
前記周壁は、前記２つのデッキボードの縁に連結されて互いに直交する２つの外側壁と、互いに直交する２つの内側壁とから構成され、前記２つの外側壁の各々が、開口部を有する枠形状を有し、
前記２つの内側壁の交差する交差部は、内側交差部であり、
前記２つの外側壁の交差する交差部は、前記内側交差部と対向する外側交差部であって、前記２つのデッキボードの各々の角を連結し、
前記内側交差部と前記外側交差部とを通る前記周壁の対角方向に沿って延び、前記内側交差部、および、前記外側交差部の少なくとも一方である対象交差部から離間する対角補強板をさらに備え、
前記２つのデッキボードの各々は、前記対角補強板において前記対角方向に並ぶ両端辺のなかで前記対象交差部から離間した端辺と、前記周壁とを連結する複数の桟をさらに備え、
前記２つのデッキボードの少なくとも一方は、前記対角補強板において前記対角方向に並ぶ両端辺のなかで前記対象交差部から離間した端辺と、前記対象交差部とを連結する桟をさらに備える合成樹脂製パレット。
【００６８】
（付記１）に記載の構成によれば、対角補強板が対角方向に沿って変位することが、対角補強板と対象交差部とを連結する桟によって抑えられる。それゆえに、対角方向における座屈の強度が周壁において高められる。
【００６９】
（付記２）
互いに対向する２つのデッキボードと、前記２つのデッキボードにおける隅同士を連結する隅桁とを備え、前記隅桁は、矩形筒形状を有した周壁を備え、
前記周壁は、前記２つのデッキボードの縁に連結されて互いに直交する２つの外側壁と、互いに直交する２つの内側壁とから構成され、前記２つの外側壁の各々が、開口部を有する枠形状を有し、
前記２つの内側壁の交差する交差部は、内側交差部であり、
前記２つの外側壁の交差する交差部は、前記内側交差部と対向する外側交差部であって、前記２つのデッキボードの各々の角を連結し、
前記内側交差部と前記外側交差部とを通る前記周壁の対角方向に沿って延び、前記内側交差部、および、前記外側交差部の少なくとも一方である対象交差部から離間する対角補強板をさらに備え、
前記２つのデッキボードの各々は、前記対角補強板において前記対角方向に並ぶ両端辺のなかで前記対象交差部から離間した端辺と、前記周壁とを連結する複数の桟をさらに備え、
前記対角補強板において前記対角方向に沿って延びる両端辺の少なくとも一方には、前記対角方向に沿って延びる補強リブが形成されている合成樹脂製パレット。
【００７０】
（付記２）に記載の構成によれば、対角補強板が対角方向において座屈することが、補強リブによって抑えられる。それゆえに、対角方向における座屈の強度が周壁において高められる。
【符号の説明】
【００７１】
１０，２０…デッキボード、１５Ｅ，１５Ｅ１，１５Ｅ２，２５Ｅ，２５Ｅ１，２５Ｅ２…内側連結桟、１５Ｔ…対角連結桟、１５Ｔ１…外側対角連結桟、１５Ｔ２…内側対角連結桟、１５Ｍ，２５Ｍ…中間連結桟、３０…隅桁、３１…周壁、３１Ｅ…外側壁、３１Ｉ…内側壁、３１Ｈ…開口部、３２…交差部、３２Ｅ…外側交差部、３２Ｉ…内側交差部、３３…対角補強板、３３Ｅ１…外側端辺、３３Ｅ２…内側端辺、３５…外側連結桟。
【図１】
2016108036.tif 000003
【図２】
2016108036.tif 000004
【図３】
2016108036.tif 000005
【図４】
2016108036.tif 000006
【図５】
2016108036.tif 000007
【図６】
2016108036.tif 000008
【図７】
2016108036.tif 000009
【図８】
2016108036.tif 000010